(57)【要約】【課題】貯湯タンクに貯湯する湯の温度をできるだけ要求された沸き上げ温度で沸き上げるヒートポンプ式給湯機を提供する。【解決手段】貯湯タンク２内の湯水をヒートポンプ式加熱手段３で沸き上げ目標温度に沸き上げる沸き上げ制御を行う沸き上げ制御部２６を備え、沸き上げ制御部２６が、ヒートポンプ式加熱手段３で沸き上げることのできる沸き上げ上限温度を設定する沸き上げ上限温度設定手段３６を有したヒートポンプ式給湯機において、沸き上げ上限温度設定手段３６は、外気温度及びヒートポンプ式加熱手段３に供給される湯水の入水温度に基づいて予め記憶された所定の関係から沸き上げ上限温度を設定し、この所定の関係は外気温度が高くなるにつれて沸き上げ上限温度を低くすると共に、外気温度が高く入水温度が高い時よりも、外気温度が高く入水温度が低い時の方が、沸き上げ上限温度を高くするようにした。【選択図】  図２
2009109024.tif 000002
【特許請求の範囲】
【請求項１】
湯水を貯湯する貯湯タンクと、前記貯湯タンクの下部と上部とを循環可能に接続し湯水を循環させる循環ポンプを有した循環回路と、前記循環回路途中に設けられ前記貯湯タンク内の湯水を循環加熱するヒートポンプ式加熱手段と、前記貯湯タンク内の湯水を前記ヒートポンプ式加熱手段で沸き上げ目標温度に沸き上げる沸き上げ制御を行う沸き上げ制御部とを備え、前記沸き上げ制御部が、沸き上げ要求温度を設定する沸き上げ要求温度設定手段と、前記ヒートポンプ式加熱手段で沸き上げることのできる沸き上げ上限温度を設定する沸き上げ上限温度設定手段と、前記沸き上げ要求温度設定手段により設定された沸き上げ要求温度と前記沸き上げ上限温度設定手段により設定された沸き上げ上限温度とを比較し沸き上げ目標温度を設定する沸き上げ目標温度設定手段とを有したヒートポンプ式給湯機において、前記沸き上げ上限温度設定手段は、前記外気温度及び前記ヒートポンプ式加熱手段に供給される湯水の入水温度に基づいて予め記憶された所定の関係から前記沸き上げ上限温度を設定し、この所定の関係は外気温度が高くなるにつれて前記沸き上げ上限温度を低くすると共に、前記外気温度が高く前記入水温度が高い時よりも、前記外気温度が高く前記入水温度が低い時の方が、前記沸き上げ上限温度を高くすることを特徴とするヒートポンプ式給湯機。
【発明の詳細な説明】
【技術分野】
【０００１】
この発明は、貯湯タンク内の湯水をヒートポンプ式加熱手段で沸き上げ目標温度に沸き上げる沸き上げ制御を行うヒートポンプ式給湯機に関するものである。
【背景技術】
【０００２】
従来この種のヒートポンプ式給湯機においては、電力料金の安価な深夜時間帯に、貯湯タンク内の湯水をヒートポンプユニットで沸き上げ目標温度に沸き上げる沸き上げ制御を行って、昼間時間帯に給湯等で使用する湯を貯湯タンクに貯えており、前記沸き上げ制御では、過去数日分の使用熱量から翌日に使用されるであろう目標熱量を算出し、この目標熱量から沸き上げ要求温度を算出し、この沸き上げ要求温度を沸き上げ目標温度としていた。また、深夜時間帯の沸き上げだけでは湯量または熱量が不足する場合には、その不足する湯量または熱量を補うため昼間時間帯にもヒートポンプユニットで沸き上げ制御を行うようにしたものがあった。（例えば、特許文献１参照。）
【０００３】
また、特許文献１に挙げたようなヒートポンプ式給湯機では、一般的に、ヒートポンプユニットのヒートポンプ回路の高圧保護や圧縮機等の耐久性向上等の観点から、外気温度が高くなるにつれてヒートポンプユニットで沸き上げることのできる沸き上げ上限温度を低くするといったように、外気温度に基づいてヒートポンプユニットで沸き上げることのできる沸き上げ上限温度を設定している。
【特許文献１】特開２００２−１６８５２４号公報
【発明の開示】
【発明が解決しようとする課題】
【０００４】
ところでこの従来のものは、深夜時間帯での沸き上げ制御時と昼間時間帯での沸き上げ制御時とで前記沸き上げ要求温度は同じ温度であるが、前記沸き上げ上限温度は外気温度に基づいて設定されるので、深夜時間帯の外気温度と昼間時間帯の外気温度とは大きく異なることから、深夜時間帯での沸き上げ制御時と昼間時間帯での沸き上げ制御時とで沸き上げ上限温度が異なる場合がある。その結果、深夜時間帯での沸き上げ制御時には、（沸き上げ要求温度）≦（沸き上げ上限温度）の関係で沸き上げ目標温度が沸き上げ要求温度であったものが、昼間時間帯での沸き上げ制御時には、（沸き上げ要求温度）＞（沸き上げ上限温度）という関係になる場合があり、（沸き上げ要求温度）＞（沸き上げ上限温度）の場合、沸き上げることができる湯温の上限は沸き上げ上限温度となるので、沸き上げ上限温度が沸き上げ目標温度となり、深夜時間帯に沸き上げ目標温度として沸き上げ要求温度で沸き上げて貯湯タンク内に貯湯されている湯に、昼間時間帯の沸き上げ制御によって沸き上げ目標温度として沸き上げ要求温度よりも低い沸き上げ上限温度で沸き上げた湯を貯湯タンクに供給することになってしまい、貯湯タンク上部の湯の温度を低下させてしまう不都合を生じることがあった。
【課題を解決するための手段】
【０００５】
この発明は上記課題を解決するために、特に請求項１ではその構成を、湯水を貯湯する貯湯タンクと、前記貯湯タンクの下部と上部とを循環可能に接続し湯水を循環させる循環ポンプを有した循環回路と、前記循環回路途中に設けられ前記貯湯タンク内の湯水を循環加熱するヒートポンプ式加熱手段と、前記貯湯タンク内の湯水を前記ヒートポンプ式加熱手段で沸き上げ目標温度に沸き上げる沸き上げ制御を行う沸き上げ制御部とを備え、前記沸き上げ制御部が、沸き上げ要求温度を設定する沸き上げ要求温度設定手段と、前記ヒートポンプ式加熱手段で沸き上げることのできる沸き上げ上限温度を設定する沸き上げ上限温度設定手段と、前記沸き上げ要求温度設定手段により設定された沸き上げ要求温度と前記沸き上げ上限温度設定手段により設定された沸き上げ上限温度とを比較し沸き上げ目標温度を設定する沸き上げ目標温度設定手段とを有したヒートポンプ式給湯機において、前記沸き上げ上限温度設定手段は、前記外気温度及び前記ヒートポンプ式加熱手段に供給される湯水の入水温度に基づいて予め記憶された所定の関係から前記沸き上げ上限温度を設定し、この所定の関係は外気温度が高くなるにつれて前記沸き上げ上限温度を低くすると共に、前記外気温度が高く前記入水温度が高い時よりも、前記外気温度が高く前記入水温度が低い時の方が、前記沸き上げ上限温度を高くするものとした。
【発明の効果】
【０００６】
この発明の請求項１によれば、前記沸き上げ上限温度設定手段は、外気温度及びヒートポンプ式加熱手段に供給される湯水の入水温度に基づいて、予め記憶された所定の関係から沸き上げ上限温度を設定し、この所定の関係は外気温度が高くなるにつれて沸き上げ上限温度を低くすると共に、前記外気温度が高く前記入水温度が高い時よりも、前記外気温度が高く入水温度が低い時の方が、沸き上げ上限温度を高くするので、（沸き上げ要求温度）＞（沸き上げ上限温度）の関係になる場合を少なくすることができ、その結果、深夜時間帯に沸き上げられ貯湯タンクに貯湯されている湯が、昼間時間帯の沸き上げ制御で貯湯タンクに追加される湯によって貯湯タンク上部の湯が温度低下してしまうことを極力減らせて熱損失を少なくでき、これにより貯湯タンク内の湯水を熱源として利用する暖房、乾燥、浴槽水加熱等の熱利用機器を設けた場合において、熱源となる湯水の湯温が低いことによる熱利用機器の出力低下や熱交換効率低下を防ぐことができるものである。
【発明を実施するための最良の形態】
【０００７】
次にこの発明の一実施形態を図１及び図２に基づき説明する。
１は湯水を貯湯する貯湯タンク２を備えた貯湯タンクユニット、３は貯湯タンク２内の湯水を加熱するヒートポンプ式加熱手段としてのヒートポンプユニット、４は貯湯タンク２とヒートポンプユニット３とを湯水が循環可能に接続する循環回路で、この循環回路４は貯湯タンク２の下部とヒートポンプユニット３とを結び貯湯タンク２内の湯水をヒートポンプユニット３に供給する往き管５と、ヒートポンプユニット３と貯湯タンク２の上部とを結びヒートポンプユニット３で沸き上げられた湯を貯湯タンク２の上部に戻す戻り管６とから構成され、また、７は往き管５に設けられ貯湯タンク２の湯水をヒートポンプユニット３に循環させる循環ポンプである。
【０００８】
８は貯湯タンク２の下端に接続され貯湯タンク２に水を給水する給水管、９は貯湯タンク２の上端に接続され貯湯タンク２に貯湯されている高温の湯を出湯する出湯管、１０は給水管８から分岐された給水分岐管、１１は出湯管９からの湯と給水分岐管１０からの水とを混合して給湯設定温度の湯に混合する給湯混合弁、１２は給湯混合弁１１で混合された湯を台所や洗面所等に設けられた給湯栓１３に給湯する給湯管、１４は給湯混合弁１１の直後の給湯管１２に設けられ給湯混合弁１１で混合された湯の温度を検出する給湯温度センサで、給湯混合弁１１は給湯温度センサ１４で検出する温度がリモコン（図示せず）で設定された給湯設定温度になるように弁体を移動させるモータが駆動されてその混合比率が制御されるものである。
【０００９】
１５は貯湯タンク２内の湯水が一次側に循環され二次側である浴槽（図示せず）内の循環水を加熱する風呂熱交換器、１６は前記風呂熱交換器１５に貯湯タンク２内の湯水を循環させる一次側循環ポンプ、１７は貯湯タンク２と風呂熱交換器１５を循環可能に接続する一次側循環回路、１８は風呂熱交換器１５と浴槽とを循環水が循環可能に接続する二次側循環回路である。
【００１０】
１９は給水管８途中に設けられ給水の温度を検出する給水温度センサ、２０は給水圧を減圧する減圧弁、２１は加熱されることによる過圧を逃す圧力逃し弁、２２は往き管５に設けられ貯湯タンク２からヒートポンプユニット３に供給される湯水の入水温度を検出する入水温度検出手段としての入水温度センサ、２３はヒートポンプユニット３にて加熱された加熱後の湯の温度を検出する沸き上げ温度検出手段としての沸き上げ温度センサ、２４は貯湯タンク２の側面の上下方向に複数個設けられた貯湯温度センサで、この貯湯温度センサ２４が検出する温度情報によって、貯湯タンク２内にどれだけの熱量が残っているか検知し、そして貯湯タンク２内の上下方向の温度分布を検知するものである。また、２５はヒートポンプユニット３の駆動開始・停止制御や給湯温度センサ１４等の各種センサの入力を受けて各アクチュエータの駆動を制御するマイクロコンピュータを備えた給湯制御器であり、この給湯制御器２５は深夜時間帯や昼間時間帯に貯湯タンク２内の湯水をヒートポンプユニット３により沸き上げ目標温度に沸き上げる沸き上げ制御を行う沸き上げ制御部２６を有しているものである。
【００１１】
前記ヒートポンプユニット３は、冷媒を圧縮する回転数可変の圧縮機２７と、凝縮器としての水冷媒熱交換器２８と、減圧手段としての電子膨張弁２９と、強制空冷式の蒸発器としての空気熱交換器３０とで構成されたヒートポンプ回路３１と、空気熱交換器３０に送風する室外ファン３２と、空気熱交換器３０の風上側に設けられ外気温度を検出する外気温度検出手段としての外気温度センサ３３と、ヒートポンプユニット３を制御するヒーポン制御器３４を備えており、ヒートポンプ回路３１内には冷媒として二酸化炭素が用いられて超臨界ヒートポンプサイクルを構成しているものであり、ヒーポン制御器３４は前記給湯制御器２５と有線にて通信可能に接続されているものである。
【００１２】
前記沸き上げ制御部２６は、沸き上げ要求温度を設定する沸き上げ要求温度設定手段３５と、ヒートポンプユニット３で沸き上げることのできる沸き上げ上限温度を設定する沸き上げ上限温度設定手段３６と、沸き上げ要求温度設定手段３５により設定された沸き上げ要求温度と沸き上げ上限温度設定手段３６により設定された沸き上げ上限温度とを比較し沸き上げ目標温度を設定する沸き上げ目標温度設定手段３７とを有しているものである。
【００１３】
前記沸き上げ要求温度設定手段３５は、例えばその日１日（前日の電気料金安価な深夜時間帯開始時刻〜当日の電気料金安価な深夜時間帯開始時刻）に給水温度センサ１９で検出した給水温度の平均を取った平均給水温度や、過去数日分の給湯使用量または使用熱量等の給湯負荷や、前日の昼間時間帯に沸き上げを行った時間等から沸き上げ要求温度を設定するものである。
【００１４】
前記沸き上げ上限温度設定手段３６は、沸き上げ上限温度を設定するための所定の関係を予め記憶した相関関係記憶手段３８を有しており、沸き上げ上限温度設定手段３６は沸き上げ制御時に外気温度センサ３３で検出した外気温度及び入水温度センサ２２で検出したヒートポンプユニット３に供給される湯水の入水温度に基づいて、相関関係記憶手段３８に予め記憶された所定の関係から沸き上げ上限温度を設定するものである。
【００１５】
前記相関関係記憶手段３８は、外気温度が高くなるにつれて沸き上げ上限温度を低くすると共に、外気温度が高く入水温度が高い時よりも、外気温度が高く入水温度が低い時の方が、沸き上げ上限温度を高くするという所定の関係を記憶しているものであり、前記所定の関係は、例えば図３に示したグラフデータや、外気温度及び入水温度に基づいた沸き上げ上限温度の設定値を示したデータテーブル（表１）等、適宜相関関係記憶手段３８に記憶されているものであり、その態様は特に限定されるものではない。
【００１６】
【表１】
2009109024.tif 000003
【００１７】
前記沸き上げ目標温度設定手段３７は、沸き上げ要求温度設定手段３５により設定された沸き上げ要求温度と沸き上げ上限温度設定手段３６により設定された沸き上げ上限温度とを比較し、（沸き上げ要求温度）≦（沸き上げ上限温度）であれば、沸き上げ要求温度を沸き上げ目標温度として設定し、（沸き上げ要求温度）＞（沸き上げ上限温度）であれば、沸き上げ上限温度を沸き上げ目標温度として設定するものである。
【００１８】
次に、この一実施形態の作動について、電力安価な深夜時間帯の沸き上げ制御を示した図４のフローチャートを用いて説明する。
時間帯別契約電力の電力単価が安価な深夜時間帯（例えば２３：００）に達すると、沸き上げ制御部２６は沸き上げ制御を開始し、ステップ１（以下、Ｓ１と略す）で沸き上げ要求温度設定手段３５は、例えば過去数日分の使用熱量である給湯負荷から沸き上げ要求温度を設定すると共に、Ｓ２で沸き上げ上限温度設定手段３６は、入水温度センサ２２で検出した入水温度及び外気温度センサ３３で検出した外気温度に基づいて、相関関係記憶手段３８に予め記憶された所定の関係、例えば図３のグラフデータの関係から沸き上げ上限温度を設定する。続いて、Ｓ３で沸き上げ目標温度設定手段３７は、前記Ｓ１で設定した沸き上げ要求温度と前記Ｓ２で設定した沸き上げ上限温度とを比較し、沸き上げ要求温度が沸き上げ上限温度以下であれば、ＹＥＳでＳ４に進み、Ｓ４で沸き上げ要求温度を沸き上げ目標温度として設定し、Ｓ３で沸き上げ要求温度が沸き上げ上限温度以下でなければ、ＮＯでＳ５に進み、Ｓ５で沸き上げ上限温度を沸き上げ目標温度として設定し、そして、沸き上げ制御部２６は貯湯温度センサ２４の検出する貯湯温度に基づき現在貯湯タンク２内に貯湯されている貯湯熱量を算出すると共に、沸き上げ開始時刻を算出する。なお、前記貯湯熱量及び前記沸き上げ開始時刻の詳細な算出方法については一般的な方法であるため省略する。
【００１９】
前記沸き上げ開始時刻に達すると、Ｓ６でヒートポンプユニット３を駆動させると共に循環ポンプ７を駆動させ、貯湯タンク２の下部から湯水を取り出し往き管５を介して水冷媒熱交換器２８で加熱して、戻り管６を介して貯湯タンク２の上部に沸き上げ目標温度に加熱した湯を戻すようにして貯湯タンク２内の湯水の沸き上げを開始する。
【００２０】
そして、沸き上げ開始後Ｓ７で現時点での入水温度センサ２２で検出した入水温度及び外気温度センサ３３で検出した外気温度に基づいて、沸き上げ上限温度設定手段３６は相関関係記憶手段３８に予め記憶された所定の関係である図３のグラフデータの関係から沸き上げ上限温度を設定し、Ｓ８で沸き上げ目標温度設定手段３７は、前記Ｓ１で設定した沸き上げ要求温度と前記Ｓ７で設定した沸き上げ上限温度とを比較し、沸き上げ要求温度が沸き上げ上限温度以下であれば、ＹＥＳでＳ９に進み、Ｓ９で沸き上げ要求温度を沸き上げ目標温度として設定し、沸き上げ制御部２６は、沸き上げ温度センサ２３で検出する湯の温度が沸き上げ目標温度（＝沸き上げ要求温度）になるように循環ポンプ７の流量をコントロールしながら沸き上げを行い、Ｓ８で沸き上げ要求温度が沸き上げ上限温度以下でなければ、ＮＯでＳ１０に進み、Ｓ１０で沸き上げ上限温度を沸き上げ目標温度として設定し、沸き上げ制御部２６は、沸き上げ温度センサ２３で検出する湯の温度が沸き上げ目標温度（＝沸き上げ上限温度）になるように循環ポンプ７の流量をコントロールしながら沸き上げを行う。そして、Ｓ１１で沸き上げが終了したかどうかの判断を行い、沸き上げが終了していればＹＥＳで沸き上げ制御を終了し、沸き上げが終了していなければＮＯでＳ７の処理に戻るものである。
【００２１】
次に、この一実施形態の作動について、昼間時間帯の沸き上げ制御を示した図５のフローチャートを用いて説明する。
沸き上げ制御部２６は、電力安価な深夜時間帯に沸き上げだけでは湯量または熱量が不足すると判断すると、その不足する湯量または熱量を補うために沸き上げ制御を開始し、
Ｓ１２で沸き上げ上限温度設定手段３６は、入水温度センサ２２で検出した入水温度及び外気温度センサ３３で検出した外気温度に基づいて、相関関係記憶手段３８に予め記憶された所定の関係である図３のグラフデータの関係から沸き上げ上限温度を設定する。続いて、Ｓ１３で沸き上げ目標温度設定手段３７は、前記Ｓ１で設定した沸き上げ要求温度と前記Ｓ１２で設定した沸き上げ上限温度とを比較し、沸き上げ要求温度が沸き上げ上限温度以下であれば、ＹＥＳでＳ１４に進み、Ｓ１４で沸き上げ要求温度を沸き上げ目標温度として設定し、Ｓ１３で沸き上げ要求温度が沸き上げ上限温度以下でなければ、ＮＯでＳ１５に進み、Ｓ１５で沸き上げ上限温度を沸き上げ目標温度として設定し、Ｓ１６でヒートポンプユニット３を駆動させると共に循環ポンプ７を駆動させ、貯湯タンク２の下部から湯水を取り出し往き管５を介して水冷媒熱交換器２８で加熱して、戻り管６を介して貯湯タンク２の上部に沸き上げ目標温度に加熱した湯を戻すようにして貯湯タンク２内の湯水の沸き上げを開始する。
【００２２】
そして、沸き上げ開始後Ｓ１７で現時点での入水温度センサ２２で検出した入水温度及び外気温度センサ３３で検出した外気温度に基づいて、沸き上げ上限温度設定手段３６は相関関係記憶手段３８に予め記憶された所定の関係である図３のグラフデータの関係から沸き上げ上限温度を設定し、Ｓ１８で沸き上げ目標温度設定手段３７は、前記Ｓ１で設定した沸き上げ要求温度と前記Ｓ１７で設定した沸き上げ上限温度とを比較し、沸き上げ要求温度が沸き上げ上限温度以下であれば、ＹＥＳでＳ１９に進み、Ｓ１９で沸き上げ要求温度を沸き上げ目標温度として設定し、沸き上げ制御部２６は沸き上げ温度センサ２３で検出する湯の温度が沸き上げ目標温度（＝沸き上げ要求温度）になるように循環ポンプ７の流量をコントロールしながら沸き上げを行い、Ｓ１８で沸き上げ要求温度が沸き上げ上限温度以下でなければ、ＮＯでＳ２０に進み、Ｓ２０で沸き上げ上限温度を沸き上げ目標温度として設定し、沸き上げ制御部２６は沸き上げ温度センサ２３で検出する湯の温度が沸き上げ目標温度（＝沸き上げ上限温度）になるように循環ポンプ７の流量をコントロールしながら沸き上げを行う。そして、Ｓ２１で沸き上げが終了したかどうかの判断を行い、沸き上げが終了していればＹＥＳで沸き上げ制御を終了し、沸き上げが終了していなければＮＯでＳ１７の処理に戻るものである。
【００２３】
上記深夜時間帯の沸き上げ制御時と上記昼間時間帯の沸き上げ制御時とで、大きく外気温度が異なる場合、例えば深夜時間帯の沸き上げ制御時の外気温度が１５℃で昼間時間帯の沸き上げ制御時の外気温度が２５℃であった場合、この時、例えば沸き上げ要求温度が８５℃に設定されていると仮定すると、深夜時間帯での沸き上げ制御時は図３から外気温度が１５℃の時には入水温度に関係なく沸き上げ上限温度は９０℃と設定され、沸き上げ要求温度である８５℃を沸き上げ目標温度として沸き上げを行うが、昼間時間帯での沸き上げ制御時は図３から外気温度が２５℃で入水温度が３０℃未満の時は沸き上げ上限温度が９０℃と設定され、沸き上げ要求温度である８５℃を沸き上げ目標温度として沸き上げを行う一方で、外気温度が２５℃で入水温度が３０℃以上の時には沸き上げ上限温度は８０℃と設定され、沸き上げ上限温度である８０℃を沸き上げ目標温度として沸き上げを行うものである。
【００２４】
上述したように、外気温度が高くとも入水温度が低い場合は、外気温度が高く入水温度が高い場合に比べヒートポンプ回路３１の冷媒圧力や冷媒温度が上昇しにくいので、沸き上げ上限温度を高くすることができ、ヒートポンプ回路３１が高温・高圧異常になることなく安全に沸き上げを行えると共に、昼間時間帯の沸き上げ時、すなわち前記Ｓ１７→Ｓ１８→Ｓ１９またはＳ２０→Ｓ２１→Ｓ１７→…を繰り返し行っている時に、時々刻々と変化する入水温度及び外気温度からその時点その時点での沸き上げ上限温度を設定し、沸き上げ要求温度と沸き上げ上限温度を比較し、沸き上げ目標温度を設定するので、（沸き上げ要求温度）＞（沸き上げ上限温度）となる場合を確実に少なくすることができ、その結果、深夜時間帯に沸き上げて貯湯タンク２に貯湯されている湯が、昼間時間帯の沸き上げ制御で貯湯タンク２に追加される湯によって貯湯タンク２上部の湯が温度低下してしまうことを極力減らせて熱損失を少なくでき、これにより貯湯タンク２内の湯水を熱源として浴槽内の循環水を加熱する風呂熱交換器１５において、熱源となる湯水の湯温が低いことによる浴槽水の追い焚きの出力低下や熱交換効率低下を防ぐことができるものである。また、外気温度が高く入水温度が高い場合には、外気温度が高く入水温度が低い場合よりも沸き上げ上限温度を低くするので、ヒートポンプ回路３１の冷媒温度や冷媒圧力が異常に上昇するのを防ぐことができ、高圧異常によって沸き上げが途中で停止されることがないものである。以上のように外気温度が高く入水温度が高い時よりも外気温度が高く入水温度が低い時の方が、沸き上げ上限温度を高くすることで、沸き上げ制御時にヒートポンプユニット３の能力を存分に発揮させることができるものである。
【００２５】
なお、本実施形態では深夜時間帯の沸き上げ制御時及び昼間時間帯の沸き上げ制御時の双方に本発明を適用しているが、特に昼間時間帯の沸き上げ制御時に好適である。
【００２６】
また、前記入水温度センサ２２を水冷媒熱交換器２８の近くの往き管５に設け、ここで検出される湯水の温度をヒートポンプユニット３に供給される入水温度としたが、これに限定されず、入水温度センサ２２を貯湯タンクユニット１側の往き管５に設け、ここで検出される湯水の温度をヒートポンプユニット３供給される入水温度としてもよく、また、複数ある貯湯温度センサ２４のうち最下部の貯湯温度センサ２４が検出する温度をヒートポンプユニット３に供給される入水温度としてもよいものである。
【００２７】
また、前記外気温度センサ３３は空気熱交換器３０の風上側に設けられ外気温度を検出しているが、これに限定されず、外気温度を検出できる取付位置であればよく、例えばヒートポンプユニット３内、あるいは貯湯タンクユニット１内に設けられてもよいものである。
【００２８】
また、前記沸き上げ制御部２６は給湯制御器２５が有しているが、沸き上げ制御部２６はヒーポン制御器３４が有していてもよいものであり、給湯制御器２５やヒーポン制御器３４とは別に沸き上げ制御部２６だけを独立して、貯湯タンクユニット１内またはヒートポンプユニット３内に設けてもよいものである。給湯制御器２５やヒーポン制御器３４とは別に沸き上げ制御部２６だけを独立して、貯湯タンクユニット１内またはヒートポンプユニット３内に設ける場合には、給湯制御器２５とヒーポン制御部３４と沸き上げ制御部２６とは、互いに有線または無線にて通信可能に接続されているものである。
【００２９】
また、前記貯湯タンク２内の湯を熱源とする二次側には浴槽（図示せず）を配設したが、浴槽に限らず、貯湯タンク２内の湯を熱源として利用する暖房、乾燥等の熱利用機器を二次側に配設してもよいものである。また、前記風呂熱交換器１５は貯湯タンク２外に出た外熱交方式で、一次側である貯湯タンク２内の湯水と二次側である浴槽内の循環水とを熱交換させているが、前記風呂熱交換器１５を貯湯タンク２内に配設する内熱交方式にして、貯湯タンク２内の湯水と二次側である浴槽内の循環水とを熱交換させてもよいものである。
【図面の簡単な説明】
【００３０】
【図１】この発明の一実施形態の概略構成図。
【図２】同一実施形態の沸き上げ制御部を示すブロック図。
【図３】同一実施形態の沸き上げ上限温度設定手段が予め記憶している所定の関係を示すグラフ。
【図４】同一実施形態の深夜時間帯での沸き上げ制御を示すフローチャート。
【図５】同一実施形態の昼間時間帯での沸き上げ制御を示すフローチャート。
【符号の説明】
【００３１】
２  貯湯タンク
３  ヒートポンプ式加熱手段（ヒートポンプユニット）
４  循環回路
７  循環ポンプ
２６  沸き上げ制御部
３５  沸き上げ要求温度設定手段
３６  沸き上げ上限温度設定手段
３７  沸き上げ目標温度設定手段
【図１】
2009109024.tif 000004
【図２】
2009109024.tif 000005
【図３】
2009109024.tif 000006
【図４】
2009109024.tif 000007
【図５】
2009109024.tif 000008